(57)【特許請求の範囲】
【請求項１】
ディスク状記録媒体が収納されるディスク収納部が設けられたケース本体と、
上記ディスク収納部を開閉するカバー部材と、
上記カバー部材によるディスク収納部の開閉を規制する開閉規制ピンとを備え、  初期状態では、上記開閉規制ピンが所定の第１の位置に位置することにより、上記ディスク収納部が上記カバー部材により閉塞された状態とされ、
上記カバー部材を開放可能とするときに、上記開放規制ピンが、上記第１の位置への復帰が不能とされる所定の第２の位置に移動されること
を特徴とするディスク収納装置。
【請求項２】
上記ケース本体には、上記カバー部材に係合してこのカバー部材の開放を規制する係合位置と上記カバー部材との係合を解除してこのカバー部材を開放可能にする係合解除位置とに移動可能にスライド部材が設けられ、
上記開閉規制ピンが上記第１の位置に位置するとき、上記開閉規制ピンは、上記スライド部材の係合位置から係合解除位置への移動を規制し、
上記開閉規制ピンが上記第２の位置に位置するときに、上記スライド部材の係合位置から係合解除位置への移動が可能とされること
を特徴とする請求項１記載のディスク収納装置。
【請求項３】
上記ケース本体及び上記スライド部材には、上記開閉規制ピンを挿入するための孔部がそれぞれ設けられており、上記開閉規制ピンは、上記第１の位置に位置するとき、上記ケース本体に設けられた孔部と上記スライド部材に設けられた孔部とに亘って配設され、上記第２の位置に位置するとき、上記スライド部材に設けられた孔部内に配設されること
を特徴とする請求項２記載のディスク収納装置。
【請求項４】
上記スライド部材に設けられた孔部は、外方に向かって開口端が拡径するように、上記スライド部材の壁面の少なくとも一部が傾斜面とされていること
を特徴とする請求項３記載のディスク収納装置。
【請求項５】
上記開閉規制ピンは異なる複数の位置にそれぞれ設けられていること
を特徴とする請求項１記載のディスク収納装置。
【請求項６】
上記開閉規制ピンは、開閉規制ピン本体に、上記第２の位置に移動されたとき上記ケース本体または上記スライド部材に設けられた係止部に係合する係合部が設けられてなること
を特徴とする請求項２記載のディスク収納装置。
【請求項７】
上記係合部は、上記開閉規制ピンの周壁に設けられた係止爪からなること
を特徴とする請求項６記載のディスク収納装置。
【請求項８】
上記開閉規制ピンは、上記係止爪を上記開閉規制ピン本体側に押し込むように弾性変位可能に形成されていること
を特徴とする請求項７記載のディスク収納装置。
【請求項９】
上記開閉規制ピンには、移動方向に沿って割り溝が設けられ、この割溝によって弾性変位可能となされていること
を特徴とする請求項８記載のディスク収納装置。
【請求項１０】
上記開閉規制ピンは略円柱状を呈し、上記係止爪を円柱の中心に向かって押し込むように弾性変位可能となす割り溝が設けられていること
を特徴とする請求項９記載のディスク収納装置。
【請求項１１】
上記開閉規制ピンの移動方向後端部には、移動方向に凹設された凹部が設けられていること
を特徴とする請求項１記載のディスク収納装置。
【発明の詳細な説明】
【０００１】
【発明の属する技術分野】
本発明は、ディスク状の記録媒体を回転可能に収納するディスク収納装置に関し、特に書き換え可能なのディスク状記録媒体を収納するのに好適なディスク収納装置に関する。
【０００２】
【従来の技術】
従来より、磁気ディスクや光ディスク等のディスク状記録媒体（以下、ディスクという。）を、ドライブ装置に直接装着せずに、ケースに収納した状態で再生を行えるようにしたディスク収納装置が提案されている。
【０００３】
このようなディスク収納装置としては、特開平６−６８６４１号公報にて開示されるように、ディスクを収納する収納部が設けられたケース本体と、収納部を閉塞するカバー部材とを備え、このカバー部材をケース本体に対して開閉可能に取り付けることにより、収納部に収納されたディスクの出し入れが自在に行えるようにしたものが知られている。
【０００４】
【発明が解決しようとする課題】
ところで、このようなディスク収納装置に収納されるディスクは、記録密度の向上を図るために、記録トラックの狭ピッチ化や信号領域の細密化が進んでおり、特に高密度記録を実現したＤＶＤ（ｄｉｇｉｔａｌ  Ｖｅｒｓａｔｉｌｅ  Ｄｉｓｃ／Ｄｉｇｉｔａｌ  Ｖｉｄｅｏ  ｄｉｓｃ）等においては、その取扱いを慎重に行うことが要求される。
【０００５】
したがって、こうしたディスクを収納するディスク収納装置としては、カバー部材が安易に開放されないようにして、収納されたディスクを保護することが望まれている。また、このディスク収納装置は、品質管理等の観点から、ユーザによりカバー部材が開けられたかどうかの確認がとれるようにすることが望ましい。
【０００６】
そこで、本発明は、初期状態においてはカバー部材の開放が規制されているとともに、一度カバー部材が開放された後は、カバー部材が開放されたことを示す形跡が残るようにしたディスク収納装置を提供することを目的とする。
【０００７】
【課題を解決するための手段】
本発明に係るディスク収納装置は、ディスク状記録媒体が収納されるディスク収納部が設けられたケース本体と、このケース本体のディスク収納部を開閉するカバー部材と、このカバー部材によるディスク収納部の開閉を規制する開閉規制ピンとを備えている。
【０００８】
そして、このディスク収納装置は、初期状態では、開閉規制ピンが所定の第１の位置に位置することにより、ディスク収納部がカバー部材により閉塞された状態とされ、カバー部材を開放可能とするときに、開放規制ピンが、第１の位置への復帰が不能とされる所定の第２の位置に移動されるようにしている。
【０００９】
このディスク収納装置は、初期状態では、カバー部材の開放動作が第１の位置に位置する開閉規制ピンにより規制され、開閉規制ピンが第２の位置に移動することにより、カバー部材が開放可能とされる。
【００１０】
そして、開放規制ピンは、第２の位置に移動すると第１の位置への復帰が不能とされるので、このディスク収納装置は、カバー部材が開放されると、カバー部材が開放されたことを示す形跡が残ることになる。
【００１１】
【発明の実施の形態】
以下、本発明に係るディスク収納装置について、図面を参照して説明する。
【００１２】
このディスク収納装置１は、ＤＶＤ−ＲＡＭ等の書き換え可能なディスク状記録媒体（以下、ディスクという。）を回転可能に収納し、ドライブ装置に装着されて、収納されたディスクに対する記録再生を行うための収納装置であって、図１に斜視図で示すように、ディスクを収納するケース本体２と、このケース本体２に対して開閉可能に取り付けられたカバー部材３とを備えている。
【００１３】
ケース本体２は、合成樹脂等を平面略矩形の板状に成形してなるものである。そして、このケース本体２の主面部２ａの中央には、ディスクを収納するためのディスク収納用凹部４が、ディスクの外形に対応した円形に形成されている。
【００１４】
また、ケース本体２には、このディスク収納用凹部４の中央部から、図１中矢印Ａで示すディスク収納装置１のドライブ装置への挿入方向の前端側（以下、前端部２ｂという。）にかけて、ケース本体２の厚み方向に貫通して、窓部５が設けられている。
【００１５】
この窓部５は、ディスク収納用凹部４の中央部に位置して、ドライブ装置に設けられたスピンドルモータのターンテーブルに対応した大きさの円形に形成された円形窓部５ａと、この円形窓部５ａから前端部２ｂにかけて、ドライブ装置に設けられたヘッド装置の移動量に対応した大きさの矩形に形成された矩形窓部５ｂとが一体に形成されてなる。そして、ディスク収納装置１がドライブ装置に装着されたときは、スピンドルモータの先端部が、円形窓部５ａを介してケース本体２内に進入し、ヘッド装置が矩形窓部５ｂを介してケース本体２内に進入する。
【００１６】
また、ケース本体２には、図２に示すように、その裏面２ｃから前端部２ｂにかけて、上記窓部５を開閉するためのシャッタ部材６が取り付けられている。このシャッタ部材６は、例えば金属板等からなり、上記窓部５を閉塞するに足る大きさの略長方形の板状に形成されている。そして、このシャッタ部材６は、長辺方向の一方の端部に短辺方向に沿って断面略コの字状に折り曲げられた保持片６ａが設けられている。また、このシャッタ部材６の長辺方向の他方の端部には、段差部を介して、係止片６ｂが延設されている。
【００１７】
ところで、ケース本体２の前端部２ｂ側の側面には、ディスク収納装置１の挿入方向と直交する方向に、スリット７が形成されている。そして、ケース本体２の前端部２ｂには、このスリット７に嵌合して、スリット７に沿って移動可能にスライダー８が設けられている。そして、このスライダー８に上記シャッタ部材６の保持片６ａが係着されている。これにより、シャッタ部材６は、ケース本体２に対して、ディスク収納装置１の装着方向と直交する方向にスライド可能に取り付けられている。
【００１８】
このシャッタ部材６は、常態においてはスライダー８が図示しないバネ機構により付勢されていることにより、上記窓部５を閉塞するする位置に配置されている。そして、このシャッタ部材６は、ディスク収納装置１がドライブ装置に装着され、スライダー８がバネ機構の付勢力に抗してスリット７に沿って移動操作されると、このスライダー８の移動に伴ってディスク収納装置１の装着方向と直交する方向に移動し、窓部５を開放する。
【００１９】
このディスク収納装置１は、このようにドライブ装置に装着されていないときに、シャッタ部材６により窓部５が閉塞されることにより、ディスク収納用凹部４内に収納されているディスクの保護が図られている。
【００２０】
また、このシャッタ部材６は、上記係止片６ｂが、ケース本体２の裏面側に取り付けられたバックプレート９に係止されることにより、脱落が防止されている。なお、バックプレート９の詳細については後述する。
【００２１】
ケース本体２の一方の側面部２ｄ側には、図３に示すように、この側面部２ｄにて開口する凹状部１０が形成されており、この凹状部１０に、ライトプロテクタ１１が収容されている。このライトプロテクタ１１は、記録した情報に誤って上書きをして記録した情報を消去してしまうことを防止するための部材であって、上書きを防止する記録禁止位置と上書きを許容する記録可能位置とに亘り移動可能に凹状部１０内に収容されている。
【００２２】
このライトプロテクタ１１は、例えば合成樹脂等からなり、図４に示すように、移動操作される操作部１１ａと、この操作部１１ａから延設され、互いに接離する方向に変位可能な第１及び第２の片１１ｂ，１１ｃとを有している。
【００２３】
そして、第１の片１１ｂには、ドライブ装置に設けられた図示しない検出部に当接し、又は当接しないことにより、ライトプロテクタ１１が上記記録禁止位置に位置しているか否かを検出するための検出用突起部１２が設けられている。また、第２の片１１ｃには、このライトプロテクタ１１の上記記録禁止位置又は記録可能位置における位置決めを行うための位置決め用突起部１３が設けられている。
【００２４】
一方、ケース本体２の一方の側面２ｄ側に設けられた凹状部１０は、この一方の側面２ｄにて開口し、周囲を側壁によって囲繞された第１の開口部１０ａを有している。そして、ライトプロテクタ１１が凹状部１０内に収容されたときに、この第１の開口部１０ａから、ライトプロテクタ１１の操作部１１ａが外部に臨むようになされている。
【００２５】
この第１の開口部１０ａの開口端縁には、それぞれ凹状部１０内に向けて傾斜するガイド面１４が設けられており、ライトプロテクタ１１の凹状部１０内への挿入を案内するようになされている。
【００２６】
また、この凹状部１０は、ケース本体２の裏面２ｃ側にて開口する第２の開口部１０ｂを有している。そして、ライトプロテクタ１１が凹状部１０内に収容されたときに、この第２の開口部１０ｂから、ライトプロテクタ１１の第１の片１１ｂに設けられた検出用突起部１２が外部に臨むようになされている。ドライブ装置に設けられた検出部は、ディスク収納装置１がドライブ装置に挿入された際に、この第２の開口部１０ｂを介して検出用突起部１２に当接し、又は当接しないことにより、記録防止部材１１が上記記録禁止位置に位置しているか否かを検出する。
【００２７】
また、凹状部１０のケース本体２の主面部２ａ側の壁部には、図示を省略するが、ライトプロテクタ１１が上記記録禁止位置に移動した際に、ライトプロテクタ１１の第２の片１１ｃに設けられた位置決め用突起部１３が係合する第１の位置決め用溝部と、ライトプロテクタ１１が上記記録可能位置に移動した際に、位置決め用突起部１３が係合する第２の位置決め用溝部とがそれぞれ形成されている。
【００２８】
ところで、ライトプロテクタ１１は、以下のようにして凹状部１０内に収容される。即ち、ライトプロテクタ１１は、図５（Ａ）に示すように、第１及び第２の片１１ｂ，１１ｃが設けられた側から、第１の開口部１０ａを介して、凹状部１０内に向けて挿入される。このとき、第１の片１１ｂは、図５（Ｂ）に示すように、第１の開口部１０ａの開口端縁に設けられたガイド面１４に案内されて、第２の片１１ｃに対し接近する方向に弾性変位する。そして、ライトプロテクタ１１は、第１の片１１ｃに設けられた検出用突起部１２が第１の開口部１０ａを通過すると、図５（Ｃ）に示すように、第１の片１１ｃが弾性復帰して、検出用突起部１２が第２の開口部１０ｂを囲む周壁に係止されることにより、脱落が防止される。
【００２９】
このディスク収納装置１は、以上のようにライトプロテクタ１１が設けられることにより、ディスクに記録された情報に誤って上書きをして記録された情報を消去してしまうことが防止される。
【００３０】
また、ケース本体２には、ディスク収納用凹部４を開閉するためのカバー部材３が、ケース本体２に対して回動可能に取り付けられている。
【００３１】
このカバー部材３は、例えばディスク収納用凹部４に収納されたディスクを外部から目視できるように透明のプラスチック等からなり、図６に示すように、ディスク収納用凹部４を閉塞するに足る大きさのカバー本体３ａと、このカバー本体３ａ一端側から延設される延設片３ｂとを有している。そして、カバー本体３ａの他端側の左右両端部には、一対の取り付け部１５，１６が設けられている。
【００３２】
カバー本体３ａは、一端側がディスク収納用凹部４に対応した円形に成形されており、他端側がケース本体２の外形形状に対応した矩形に成形されている。また、カバー本体３ａの略中央部には、ケース本体２に形成された円形窓部５ａと対応した大きさの円形孔１７が設けられている。そして、この円形孔１７にディスク押圧部材１８が遊挿されている。
【００３３】
このディスク押圧部材１８は、ディスク収納用凹部４内に収納されたディスクの中心部を保持するためのものであり、例えば合成樹脂等により円盤状に形成され、内部にドライブ装置のスピンドルモータによりマグネットチャッキングされるための金属板が埋め込まれている。そして、このディスク押圧部材１８は、円形孔１７の孔縁に設けられた支持爪１９により、回動及び揺動可能に支持されている。
【００３４】
カバー本体３ａの一端側から延設される延設片３ｂは、先端部がカバー本体３ａに対して直交しケース本体２の裏面２ｃ側に向かう方向に折り曲げられて、断面Ｌ字状とされている。そして、この延設片３ｂの左右両端部には、カバー部材３がケース本体２に重ね合わされ、ディスク収納用凹部４を閉塞するときに、ケース本体２のドライブ装置への挿入方向後端部（以下、後端部２ｅという。）側に設けられた一対の切欠部２０ａ，２０ｂ内に挿入される一対の係合片２１ａ，２１ｂが設けられている。この係合片２１ａ，２１ｂには、それぞれ貫通孔が穿設されており、カバー部材３がディスク収納用凹部４を閉塞するときに、この貫通孔に後述するスライド部材の先端部が挿通されることにより、カバー部材３の開放動作が規制される。
【００３５】
カバー本体３ａの他端側の左右両端部に設けられた一対の取り付け部１５，１６は、カバー本体３ａから外方に向けて突出する一対の突出片１５ａ，１５ｂ、１６ａ，１６ｂと、これら突出片１５ａ，１５ｂ、１６ａ，１６ｂを連結する軸部１５ｃ、１６ｃとをそれぞれ備えている。そして、カバー部材３は、この一対の取り付け部１５，１６を介してケース本体２に取り付けられ、一対の軸部１５ｃ，１６ｃを支軸として、ケース本体２に対して回動可能となされている。
【００３６】
一方、ケース本体２には、図７に示すように、前端部２ｂの左右両端部側に位置して、カバー部材３の一対の取り付け部１５，１６の突出片１５ａ，１５ｂ、１６ａ，１６ｂがそれぞれ挿通される一対の溝部２２ａ，２２ｂ及び２３ａ，２３ｂがそれぞれ設けられている。そして、これら一対の溝部２２ａ，２２ｂの間及び２３ａ，２３ｂの間には、それぞれケース本体２の主面部２ａ側から裏面２ｃ側に弾性変位可能な板バネ部材２４ａ，２４ｂが主面部２ａと一体に形成されている。この板バネ部材２４ａ，２４ｂの下端部には、図示しない突部がそれぞれ設けられている。また、この板バネ部材２４ａ，２４ｂの先端部と対向する位置には、所定間隔の隙間を存して、突出部２５ａ，２５ｂが板バネ部材２４ａ，２４ｂに向けて突出して設けられている。
【００３７】
ケース本体２にカバー部材３を取り付ける際は、まず、カバー部材３の一対の取り付け部１５，１６の突出片１５ａ，１５ｂ、１６ａ，１６ｂをケース本体２の一対の溝部２２ａ，２２ｂ及び２３ａ，２３ｂにそれぞれ挿通し、取り付け部１５，１６の軸部１５ｃ、１６ｃを板バネ部材２４ａ，２４ｂに当接させる。そして、板バネ部材２４ａ，２４ｂをケース本体２の裏面２ｃ側に弾性変位させながら、軸部１５ｃ、１６ｃを板バネ部材２４ａ，２４ｂの先端部と突出部２５ａ，２５ｂ間の隙間からケース本体２の裏面２ｂ側に押し込む。軸部１５ｃ、１６ｃが所定量押し込まれると、板バネ部材２４ａ，２４ｂが弾性復帰して、この板バネ部材２４ａ，２４ｂの下端部に設けられた突部と突出部２５ａ，２５ｂ間にカバー部材３の軸部１５ｃ、１６ｃが挟み込まれる。これにより、カバー部材３は、軸部１５ｃ、１６ｃを回動軸として、ケース本体２に対して回動可能に取り付けられる。
【００３８】
ケース本体２の後端部２ｅ側の左右両端部には、カバー部材３の開放動作を規制するための一対のスライド部材２６，２７が取り付けられている。このスライド部材２６，２７は、カバー部材３の一対の係合片２１ａ，２１ｂが、一対の切欠部２０ａ，２０ｂ内に挿入されたときに、係合片２１ａ，２１ｂに設けられた貫通孔に係合してカバー部材３の開放動作を規制する第１の位置と、貫通孔との係合を解いて、ケース本体２の左右両側面から外方に張り出し、カバー部材３の開放動作を可能とする第２の位置とに亘り、移動可能にケース本体２に取り付けられている。なお、ケース本体２の後端部２ｅ側の左端部に取り付けられるスライド部材２６と右端部に取り付けられるスライド部材２７とは同一の構成とされるので、以下、左端部に取り付けられるスライド部材２６を例に説明する。
【００３９】
このスライド部材２６は、例えば合成樹脂等からなり、図８に平面図、図９に側面図で示すように、平面略長方形の基部２８と、この基部２８の長辺方向の一端側に設けられ、スライド部材２６を上記第２の位置から第１の位置へと移動操作するための押圧操作部２９と、基部２８の長辺方向の他端側に設けられ、スライド部材２６が第１の位置に移動した際に、係合片２１ａ，２１ｂに設けられた貫通孔に挿入される挿入用突部３０とを備えている。
【００４０】
基部２８の略中央部には、基部２８の長辺方向に長い楕円形の長孔３１が、基部２８の厚み方向に貫通して設けられている。基部２８は、この長孔３１が設けられるていることにより、短辺方向に弾性変位可能とされている。また、基部２８には、長孔３１の挿入用突起部３０側に隣接して、基部２８の側面から基部２８の主面に対して平行に挿入される移動規制ピンの先端部が係止されるピン係止孔３２が設けられている。なお、移動規制ピンの詳細については後述する。
【００４１】
このピン係止孔３２は、第１の孔部３２ａと第２の孔部３２ｂとが連結孔部３２ｃを介して連続した形状に形成されている。そして、連結孔部３２ｃの幅が第１及び第２の孔部３２ａ，３２ｂに比して幅狭とされていることにより、このピン係止孔３２は、第１の孔部３２ａと第２の孔部３２ｂ間に一対のピン係止用突部３３ａ，３３ｂが突出した、平面略Ｈ字状とされている。
【００４２】
また、基部２８の長辺側の一方の側面には、スライド部材２６を上記第１の位置から第２の位置へと移動操作するための操作用突部３４が、基部２８の厚み方向に亘り突設されている。そして、この操作用突部３４を挟んで左右両側に、このスライド部材２６の開閉方向を指示する文字及び矢印が刻印されている。このスライド部材２６の開閉方向を指示する文字は、それぞれがこの操作用突部３４を下にして、基部２８の厚み方向に沿って刻印されている。従って、このスライド部材２６は、上面と下面とを反転させても使用することが可能で、ケース本体２の後端部２ｅ側の左端部に取り付けられるスライド部材２６としても、右端部に取り付けられるスライド部材２７としても用いることができる。
【００４３】
また、基部２８の長辺方向の一方の側面には、上記移動規制ピンが挿通されるピン挿通孔３５が設けられている。このピン挿通孔３５は、移動規制ピンの直径と略同径とされる孔径を有し、先端側が上述したピン係止孔３２に連通するように、基部２８の上面及び下面と平行に穿設されている。そして、基部２８の長辺方向の一方の側面のピン挿通孔３５が開口設けられた位置には、ピン挿通孔３５の開口端部の周囲に亘り、移動規制ピンのピン挿通孔３５への挿入を案内するガイド傾斜面３６が設けられている。
【００４４】
一方、基部２８の長辺方向の他方の側面には、スライド部材２６が上記第１の位置又は第２の位置に移動したときに、ケース本体２に形成された位置決め用の凹溝に係合してスライド部材２６の位置決めを行うための位置決め用突部３７が突設されている。
【００４５】
基部２８の長辺方向の一端側には、上述したように、スライド部材２６を上記第２の位置から第１の位置へと移動操作するための押圧操作部２９が設けられている。この押圧操作部２９は、その厚みが基部２８の厚みよりも大とされ、基部２８の短辺方向の一方の側面から基部２８の長辺方向の他方の側面にかけて設けられ、断面略Ｌ字状とされている。そして、この押圧操作部２９は、基部２８の上面及び下面から突出した部分と、基部２８の長辺方向の他方の側面に設けられた部分の端部とが、スライド部材２６の移動方向と直交する突き当て面とされ、スライド部材２６が第１の位置に移動操作されたときに、ケース本体２の側壁部に設けられた溝部に当接し、スライド部材２６のそれ以上の移動を抑制する。
【００４６】
また、この押圧操作部２９は、表面に滑り止め加工が施されており、スライド部材２６の押圧操作を行いやすくするようになされている。
【００４７】
基部２８の長辺方向の他端側には、上述したように、スライド部材２６が第１の位置に移動した際に、カバー部材３の延設片３ｂの係合片２１ａ，２１ｂに設けられた貫通孔に挿入される挿入用突部３０が設けられている。この挿入用突部３０の先端部には、先端に向かって次第に縮径する方向に傾斜する傾斜面３０ａが設けられており、係合片２１ａ，２１ｂに設けられた貫通孔への挿入が容易に行えるようになされている。
【００４８】
一方、ケース本体２の後端部２ｅ側の左右両側面には、図１０に示すように、スライド部材２６，２７を移動可能に収容する収容部３８，３９がそれぞれ設けられている。
【００４９】
この収容部３８，３９は、ケース本体２の左側壁部または右側壁部でそれぞれ開口する開口部４０，４１を有している。そして、この開口部４０，４１の周囲の側壁は、スライド部材２６（２７）の押圧操作部２９に対応した形状に切り欠かれて、スライド部材２６（２７）が上記第１の位置に移動したときに、押圧操作部２９が収容されるようになされている。
【００５０】
また、収容部３８，３９は、スライド部材２６（２７）の基部２８及び挿入用突起部３０に対応した形状に、ディスク収納装置１のドライブ装置への挿入方向と直交する方向に穿設され、ケース本体２の裏面２ｃ側にて開口している。そして、収容部３８，３９は、ケース本体２の裏面２ｃ側に後述するバックプレートが配設されることにより、裏面２ｃ側の開口部が閉塞される。
【００５１】
また、この収容部３８，３９には、ケース本体の後端部２ｅの側壁部にて開口し、スライド部材２６（２７）が収容されたときに、スライド部材２６（２７）の操作用突部３４を外部に臨ませて、スライド部材の移動操作を行うための操作用開口部４２，４３がそれぞれ設けられている。この操作用開口部４２，４３の周囲の側壁は、操作用開口部４２，４３の開口端縁に向かい傾斜する傾斜面とされており、操作用突部３４の操作を容易に行えるようになされている。
【００５２】
また、この収容部３８，３９の操作用開口部４２，４３と対向する壁面には、スライド部材２６（２７）が上記第１の位置に移動したときに、スライド部材２６（２７）の位置決め用突部３７に係合し、スライド部材２６（２７）の位置決めを図るための図示しない溝部と、スライド部材２６（２７）が第２の位置に移動したときに、スライド部材２６（２７）の位置決め用突部３７に係合し、スライド部材２６（２７）の位置決めを図るための図示しない溝部とがそれぞれ形成されている。
【００５３】
スライド部材２６（２７）をこの収容部３８，３９に収納する際は、スライド部材２６（２７）を挿入用突部３４を前側にして、ケース本体２の左側面又は右側面にて開口する開口部４０，４１から収容部３８，３９内に挿入する。このときスライド部材２６（２７）の基部２８には、上述したように長孔３１が設けられているので、基部２８は弾性変位して、挿入方向と直交する方向に縮径する。そして、操作用突部３４が収容部３８，３９の壁部に囲まれた領域を通過して操作用開口部４２，４３から外部へ向けて突出すると、基部２８が弾性復帰して、操作用突部３４が操作用開口部４２，４３内に保持される。これにより、スライド部材２６（２７）の脱落が防止される。
【００５４】
ディスク収納装置１は、以上のように、ケース本体２にスライド部材２６（２７）を取り付け、このスライド部材２６（２７）をカバー部材３に係合させて、カバー部材３の開放動作を規制することにより、カバー部材３の開放動作が確実に規制され、落下等の衝撃によりカバー部材３が開放してしまい、ディスク収納用凹部４内に収納されたディスクを傷つけてしまう等の不都合が回避される。
【００５５】
また、このディスク収納装置１は、カバー部材３が開放される際は、スライド部材２６（２７）が上記第２の位置、すなわちケース本体２の左右両側面から外方に張り出した位置に移動されるので、カバー部材３を開放した状態では、ディスク収納装置１全体の幅がドライブ装置のディスク挿入口の幅よりも大とされ、カバー部材３を開放した状態で誤ってドライブ装置に挿入されることが防止される。
【００５６】
なお、スライド部材２６（２７）が第２の位置に移動した際のディスク収納装置１全体の幅は、ディスク収納装置１のドライブ装置への挿入方向の長さよりも大とされることが望ましい。ドライブ装置は、通常、ディスク収納装置が誤った方向から挿入されることを防止するために、ディスク挿入口の幅がディスク収納装置の挿入方向の長さよりも小となるように設計されている。したがって、ディスク収納装置１は、スライド部材２６（２７）が第２の位置に移動した際のディスク収納装置１全体の幅を、ディスク収納装置１のドライブ装置への挿入方向の長さよりも大とすることにより、カバー部材３を開放した状態で誤ってドライブ装置に挿入されることをより確実に防止することができる。
【００５７】
なお、以上は、スライド部材２６（２７）をケース本体２の後端部２ｅ側の左右両端部に取り付けて、カバー部材３の係合片２１ａ，２１ｂに係合することにより、カバー部材２の開放動作を規制するようにした例について説明したが、本発明に係るディスク収納装置は、この例に限定されるものではなく、例えばカバー部材２にスライド部材２６（２７）を取り付けて、スライド部材２６（２７）がケース本体２に係合されることにより、カバー部材２の開放動作が規制されるようにしてもよい。
【００５８】
ところで、スライド部材２６（２７）がケース本体２に取り付けられた後は、スライド部材２６（２７）の操作性や脱落のおそれ等を考慮すると、基部２８の過剰な変位が抑制されることが望ましい。そこで、ケース本体２に取り付けられたスライド部材２６（２７）の長孔３１には、上述したバックプレートに設けられた一対の軸部がそれぞれ挿入されるようにする。
【００５９】
このバックプレート４４は、ケース本体２の裏面２ｃ側に取り付けられて、シャッタ部材６の脱落を防止するとともに、スライド部材２６（２７）を収容する収容部３８，３９のケース本体裏面２ｃ側の開口部を閉塞するためのものであって、図１１に示すように、合成樹脂等を略長方形の板状に成形してなる。そして、このバックプレート４４の短辺方向の一方の端部には、バックプレート４４がケース本体２に取り付けられたときに、シャッタ部材６の係止片６ｂが挿入される凹状部４５が、長辺に沿ってシャッタ部材６の移動量に応じた長さに形成されている。
【００６０】
また、このバックプレート４４の短辺方向の他方の端部の両端部には、バックプレート４４がケース本体２に取り付けられたときに、スライド部材２６（２７）の長孔３１に挿入され、スライド部材２６（２７）の過剰な変位を防止する軸部４６，４７がそれぞれ設けられている。
【００６１】
さらに、このバックプレート４４の主面には、複数の箇所に、バックプレート４４をケース本体２に取り付けるための取り付け用突状部４８が設けられている。この取り付け用突状部４８は、バックプレート４４の主面上からやや突出した環状の突出部として構成され、バックプレート４４をケース本体２に取り付ける際に、ケース本体２の裏面２ｃに当接する。そして、バックプレート４４は、取り付け用突状部４８がケース本体２の裏面２ｃに当接した状態で超音波溶着を行うことにより、ケース本体２の裏面２ｃ側に取り付けられる。なお、このとき、スライド部材２６（２７）の長孔３１に挿入された軸部４６，４７の先端部も、ケース本体２に溶着されることが望ましい。このように、軸部４６，４７の先端部がケース本体２に溶着されることにより、スライド部材２６（２７）の移動動作が安定するとともに、スライド部材２６（２７）の脱落がより確実に防止される。
【００６２】
ところで、ケース本体２には、図１２に示すように、後端部２ｅの左右両端部に位置して、バックプレート４４の軸部４６，４７の先端部が挿入される一対の凹部４９ａ，４９ｂが穿設されている。すなわち、バックプレート４４の軸部４６，４７は、スライド部材２６（２７）の基部２８に設けられた長孔３１を介して先端部が一対の凹部４９ａ，４９ｂにそれぞれ挿入される。
【００６３】
この凹部４９ａ，４９ｂは、バックプレート４４をケース本体２に取り付ける際の位置決めを行うためのものであって、一方の凹部４９ａは、バックプレート４４の一方の軸部４６の外形寸法と略同径とされている。そして、他方の凹部４９ｂは、バックプレート４４を成形する際の誤差による軸部４６，４７の相対的な位置ずれを吸収するために、バックプレート４４の他方の軸部４７の外形寸法よりもやや大径に形成されている。特にこの他方の凹部４９ｂは、ドライブ装置への挿入方向と直交する方向に長い形状とされることにより、バックプレート４４の軸部４６，４７の横方向のばらつきを吸収するようになされている。
【００６４】
また、ケース本体２の後端部２ｅの側壁部には、図１０に示すように、スライド部材２６（２７）の移動を規制してカバー部材３の開放を規制する移動規制ピンが挿通される規制ピン挿通孔５０，５１がそれぞれ設けられている。この規制ピン挿通孔５０，５１の周囲の側壁は、規制ピン挿通孔５０，５１の開口端縁に向かい傾斜する傾斜面とされて、移動規制ピンの挿入が容易に行えるようになされていることが望ましい。
【００６５】
規制ピン挿通孔５０，５１にそれぞれ挿通される移動規制ピン５２は、図１３及び図１４に示すように、円柱状の基部５２ａと、この基部５２ａの先端側に設けられた略円錐状の係止部５２ｂとからなる。そして、基部５２ａと係止部５２ｂ間に段差が形成されており、この段差がスライド部材２６（２７）に設けられた一対のピン係止用突部３３ａ，３３ｂに係止され、移動規制ピン５２の抜き出しを規制するための係止爪５３とされている。また、基部５２ａの挿入方向基端側には、この移動規制ピン５２の挿入を容易に行えるようにするための凹部５４が設けられている。
【００６６】
また、この移動規制ピン５２には、係止部５２ｂから基部５２ａの先端側にかけて、移動規制ピン５２の移動方向に沿って割り溝５５が設けられている。この割り溝５５は、例えば図１４に示すように、移動規制ピン５２の移動方向の先端側を３等分するように、断面略Ｙ字状に形成される。移動規制ピン５２は、このように割り溝５５が設けられることにより、円柱の中心に向かって縮径するように弾性変位可能とされる。
【００６７】
なお、ここでは円柱状の基部５２ａと略円錐状の係止部５２ｂとからなる移動規制ピン５２を例に説明しているが、本発明のディスク収納装置１に用いられる移動規制ピンの形状は、この例に限定されるものではなく、例えば図１５に示すように、角柱状の基部５６ａと、この角柱状の基部５６ａの先端側に設けられた係止部５６ｂとからなるようにしてもよい。この場合も、移動規制ピン５６には、移動方向に沿って割り溝５７を形成し、移動方向と直交する方向に弾性変位可能とする。
【００６８】
また、本発明のディスク収納装置１に用いられる移動規制ピンは、係止部の先端部から基部にかけて、移動規制ピンの内部に空間が形成されるように、移動方向に沿って凹状部を形成して、移動方向と直交する方向に弾性変位可能とするようにしてもよい。
【００６９】
以上のように構成される移動規制ピン５２は、初期状態においては、図１６（Ａ）に示すように、ケース本体２の後端部２ｅの側壁部に設けられた規制ピン挿通孔５０，５１からスライド部材２６（２７）に設けられたピン挿通孔３５に亘ってそれぞれ挿通され、係止部５２ｂがピン係止孔３２の第１の孔部３２ａ内に収容される。このとき、スライド部材２６（２７）は、移動規制ピン５２を介してケース本体２に連結されることになるので、スライド部材２６（２７）の移動が規制される。
【００７０】
そして、移動規制ピン５２は、ケース本体２側からスライド部材２６（２７）側へ押し込み操作されると、移動方向に沿って設けられた割り溝５５の作用により係止部５２ｂが縮径する方向に弾性変位し、図１６（Ｂ）に示すように、ピン係止孔３２の連結孔３２ｃを通過して第２の孔部３２ｂ内に収容される。移動規制ピン５２は、このように移動することにより、完全にスライド部材２６（２７）内に収容される。これにより、スライド部材２６（２７）は、ケース本体２との係合が解除されて移動が可能となる。
【００７１】
また、移動規制ピン５２は、ケース本体２側からスライド部材２６（２７）側へ押し込み操作されて、係止部５２ｂがピン係止孔３２の第２の孔部３２ｂ内に収容されると、係止部５２ｂが弾性復帰して拡径し、係止部５２ｂの下端に設けられた係止爪５３が、ピン係止孔３２の第１の孔部３２ａと第２の孔部３２ｂ間に設けられた係止用突部３３ａ，３３ｂに係止され、もとの位置への復帰が不能とされる。
【００７２】
なお、以上は、ケース本体２の後端部２ｅの側壁部に規制ピン挿通孔５０，５１を設け、移動規制ピン５２をケース本体２の後端部２ｅ側からスライド部材２６（２７）に亘って挿通した例について説明したが、移動規制ピン５２の挿通位置はこの例に限定されるものではなく、例えば図１７に示すように、ケース本体２の裏面２ｃ側から厚み方向に貫通する規制ピン挿通孔５０，５１を設け、移動規制ピン５２をケース本体２の裏面２ｃ側からスライド部材２６（２７）に亘って挿通するようにしてもよい。このように、ケース本体２の裏面２ｃ側に規制ピン挿通孔５０，５１を設け、ケース本体２の裏面２ｃ側から移動規制ピン５２を挿通することにより、ディスク収納装置１がドライブ装置に装着された際に、移動規制ピン５２が押し込まれているか否かの検出を容易に行うことができる。
【００７３】
また、以上は、移動規制ピン５２をケース本体２とスライド部材２６（２７）間に亘って挿通し、スライド部材２６（２７）の移動を規制することによりカバー部材の開放を規制するようにした例について説明したが、本発明のディスク収納装置１は、図１８に示すように、ケース本体２にカバー部材３の延設片３ｂと対向する壁部５８を設け、カバー部材３の延設片３ｂとこのケース本体２の壁部５８とに亘って移動規制ピン５２を挿通して直接カバー部材の開放を規制するようにしてもよい。この場合は、ケース本体２の主面２ａとカバー部材３のカバー本体３ａとの対向面間に移動規制ピン５２の係止部５２を係止する係止用突部５９ａ，５９ｂを設け、移動規制ピン５２が移動されたときに、係止部５２ｂがこの係止用突部５９ａ，５９ｂに係止されるようにすることが望ましい。
【００７４】
次に、以上のように構成されるディスク収納装置１のカバー部材３を開放する際の動作について説明する。
【００７５】
このディスク装置１は、初期状態においては、図１９（Ａ）に示すように、スライド部材２６，２７がケース本体２の収容部３８，３９内に押し込まれた状態とされている。このとき、カバー部材３はディスク収納用凹部４をするように、ケース本体２に対して閉じた状態とされており、一対の係合片２１ａ，２１ｂがケース本体２に設けられた切欠部２０ａ，２０ｂに係合されている。
【００７６】
そして、スライド部材２６，２７の挿入用突部３０がカバー部材３の係合片２１ａ，２１ｂに穿設された貫通孔に挿通され、カバー部材３の開放動作が抑制されている。
【００７７】
また、このとき、移動規制ピン５２は、ケース本体２の後端部２ｅの側壁部に設けられた規制ピン挿通孔５０，５１からスライド部材２６，２７に設けられたピン挿通孔３５及び第１の孔部３２ａに亘って挿通され、スライド部材２６，２７の移動を規制している。したがって、このディスク収納装置１は、初期状態においては、カバー部材３がディスク収納用凹部４を閉塞した状態が保持され、落下等の衝撃によりカバー部材３が開放してしまい、ディスク収納用凹部４内に収納されたディスクを傷つけてしまう等の不都合が回避される。
【００７８】
そして、このディスク収納装置１は、図１９（Ｂ）に示すように、移動規制ピン５２がスライド部材２６，２７内に押し込まれ、スライド部材２６，２７がケース本体２の側面側へ移動されることにより、カバー部材３をケース本体２に対して開放することが可能となる。
【００７９】
すなわち、移動規制ピン５２がスライド部材２６，２７側へ押し込み操作され、スライド部材２６，２７内に完全に収容された状態とされると、スライド部材２６，２７は、ケース本体２との係合が解除されて移動が可能となる。そして、スライド部材２６，２７がケース本体２の側面側へ移動されると、スライド部材２６，２７の挿入用突部３０がカバー部材３の係合片２１ａ，２１ｂに設けられた貫通孔から抜き出され、カバー部材３の開放動作が可能となる。
【００８０】
なお、移動規制ピン５２は、上述したように、一度スライド部材２６，２７側へ押し込まれると、もとの位置への復帰が不能となる。このディスク収納装置１は、このように、一度押し込まれた移動規制ピン５２のもとの位置への復帰を不能とすることにより、カバー部材３が開放されたか否かを判別することができるようになされている。
【００８１】
以上説明したように、このディスク収納装置１は、ライトプロテクタ１１を備えることにより、ディスク収納用凹部４内に収納された書き換え可能なのディスク状記録媒体に記録された情報に誤って上書きをして記録された情報を消去してしまうことが防止される。
【００８２】
また、このディスク収納措置１は、ケース本体２にスライド部材２６（２７）を取り付け、このスライド部材２６（２７）をカバー部材３に係合させて、カバー部材３の開放動作を規制するようにしているので、カバー部材３の開放動作が確実に規制され、落下等の衝撃によりカバー部材３が開放してしまい、ディスク収納用凹部４内に収納されたディスクを傷つけてしまう等の不都合を回避することができる。
【００８３】
さらに、このディスク収納装置１は、移動規制ピン５２をスライド部材２６（２７）内にに押し込むことにより、スライド部材２６（２７）をカバー部材３との係合を解除する位置に移動可能とし、一度押し込まれた移動規制ピン５２はもとの位置へ復帰できないようにしているので、カバー部材３が開放されたか否かを検出することができる。
【００８４】
【発明の効果】
本発明に係るディスク収納装置は、初期状態では、開閉規制ピンが所定の第１の位置に位置して、カバー部材の開放動作を規制するようにしているので、カバー部材が安易に開放されて、収納されたディスクを傷つけてしまうといった不都合が回避される。
【００８５】
また、このディスク収納装置は、カバー部材を開放する際は、開閉規制ピンを第１の位置への復帰が不能とされる第２の位置に移動させるようにしているので、カバー部材が開放されたことを示す形跡が残ることになり、品質管理を適切に行うことができる。
【図面の簡単な説明】
【図１】本発明のディスク収納装置のカバー部材が開放された状態を示す斜視図である。
【図２】同ディスク収納装置の裏面側をスライド部材が分解された状態で示す斜視図である。
【図３】同ディスク収納装置の裏面側を拡大して示す要部拡大斜視図である。
【図４】ライトプロテクタの側面図である。
【図５】上記ライトプロテクタをケース本体に取り付ける動作を説明する図であり、（Ａ）はライトプロテクタをケース本体に取り付ける前の状態を示す断面図であり、（Ｂ）はライトプロテクタをケース本体に取り付けている状態を示す断面図であり、（Ｃ）はライトプロテクタをケース本体に取り付けた後の状態を示す断面図である。
【図６】カバー部材の斜視図である。
【図７】上記ケース本体の平面図である。
【図８】スライド部材の平面図である。
【図９】上記スライド部材の側面図である。
【図１０】上記ケース本体の側面図である。
【図１１】バックプレートの斜視図である。
【図１２】上記ケース本体の裏面図である。
【図１３】移動規制ピンの側面図である。
【図１４】同移動規制ピンの正面図である。
【図１５】他の移動規制ピンの斜視図である。
【図１６】上記移動規制ピンをスライド部材に押し込む動作を説明する図であり、（Ａ）は移動規制ピンをスライド部材に押し込む前の状態を示す模式図であり、（Ｂ）は移動規制ピンをスライド部材に押し込んだ後の状態を示す模式図である。
【図１７】他のディスク収納装置を示す要部拡大断面図である。
【図１８】さらに他のディスク収納装置を示す要部拡大断面図である。
【図１９】上記カバー部材の開放動作を説明する図であり、（Ａ）はカバー部材が閉塞された状態を示す模式的平面図であり、（Ｂ）はカバー部材が開放された状態を示す模式的平面図である。
【符号の説明】
１  ディスク収納装置、２  ケース本体、３  カバー部材、４  ディスク収納用凹部、２６，２７  スライド部材、３２  ピン係止孔、３５  ピン挿通孔、５０，５１  ピン挿通孔、５２  移動規制ピン、５２ａ  基部、５２ｂ  係止部、５３  係止爪、５４  凹部、５５  割り溝
【図１】
0003606011.tif 000002
【図２】
0003606011.tif 000003
【図３】
0003606011.tif 000004
【図４】
0003606011.tif 000005
【図５】
0003606011.tif 000006
【図６】
0003606011.tif 000007
【図７】
0003606011.tif 000008
【図８】
0003606011.tif 000009
【図９】
0003606011.tif 000010
【図１０】
0003606011.tif 000011
【図１１】
0003606011.tif 000012
【図１２】
0003606011.tif 000013
【図１３】
0003606011.tif 000014
【図１４】
0003606011.tif 000015
【図１５】
0003606011.tif 000016
【図１６】
0003606011.tif 000017
【図１７】
0003606011.tif 000018
【図１８】
0003606011.tif 000019
【図１９】
0003606011.tif 000020